(57)【要約】　　　（修正有）【課題】包装材の開放部を封止シールで封止するという簡素で廉価な構成で包装体の開放部が開放されたことを容易に識別することを可能にした、包装体の封止シール用の開封識別構造を提供する。【解決手段】包装体１０における開放部の合わせ目２０を跨ぐように貼着するシール体１６の表面に、バーコード１８等の開封識別手段を設け、この合わせ目２０に対応すると共に、開封識別手段を形成した部分を横断するように、ミシン目２２を入れる。包装体包装箱１０開放部の合わせ目を開放しようとすると、シール体１６が開封識別手段の部分で切断され、シール体１６における切断した各端辺を元通りに合わせようとしても、この切断辺部分での破損等により元通りに合わせることが極めて困難となり、包装体１０が開封された虞があることを容易にかつ確実に判別できる。【選択図】　図２
2004059100.tif 000002
【特許請求の範囲】
【請求項１】
包装体における開放部の合わせ目を跨ぐように貼着するシール体と、
前記シール体に表記されたバーコードと、
前記シール体に、前記合わせ目に対応すると共に前記バーコードを形成した部分を横断するように形成した、切断操作補助のためのミシン目と、
を有することを特徴とする包装体の封止シール用の開封識別構造。
【請求項２】
包装体における開放部の合わせ目に設けた、折曲した合わせ目の部所と、
前記折曲した合わせ目の部所を跨ぐように貼着するシール体と、
前記シール体の表面に、前記折曲した合わせ目の部所に被さるように設けたバーコードと、
を有することを特徴とする包装体の封止シール用の開封識別構造。
【請求項３】
包装体における開放部の合わせ目を跨ぐように貼着してシールするシール体において、
前記シール体の表面に構成された無線タグの領域が、前記包装体の開放部の合わせ目を跨ぐように配置されることにより、前記開放部の合わせ目を開く動作によって、前記無線タグを構成した領域が分断され、前記無線タグのデータ通信の機能が失われるように構成したことを特徴とする包装体の封止シール用の開封識別構造。
【発明の詳細な説明】
【０００１】
【発明の属する技術分野】
この発明は、精密機器等の包装に用いられる包装体の開放部を封止シールで封止した後に、包装体の開放部が開放されたことを識別可能とする、包装体の封止シール用の開封識別構造に関する。
【０００２】
【従来の技術】
一般に、包装体の開放部を封止シールで封止して包装体が不用意に開封されるのを防止することが行われている。
【０００３】
従来の包装材の開放部を封止シールで封止した構造として、例えば実開平６−２３０６７号（実願平４−４６３５８号）公報に記載された包装材封止用のシールラベルの構造が提案されている。この包装材封止用のシールラベルは、包装材の開封縁を封止し、適宜な表示欄を有する包装材封止用のシールラベルであって、カットノッチが開封縁に沿って線状に形成されているので、包装材を開封しようとする者は、カットノッチによってシールラベルを容易に切断することができ、包装材を開封可能とする。
【０００４】
また、シールラベルに設けるカットノッチは、バーコードの表示域の上にミシン目が形成されないようにバーコードの表示域の外に構成し、バーコードの読み取りエラーが生じないようにするものである。
【０００５】
この他に、従来の包装材の開放部を封止する手段に関連するものとして、連結部材を切断し２つの箱部材を分割する段ボール製包装箱の構造が、実開平６−６９１２２号（実願平５−１０４５８号）公報に記載されている。
【０００６】
この段ボール製包装箱の構造は、２つの箱部材の各側壁を相互に重ね合わせ、連結部材により連結一体化して成る。各側壁の周縁部に位置する連結部材の裏面にはカットテープが貼着され、その表面には、カットテープに跨って、段ボール製包装箱内に収納される商品数に対応するバーコードが印刷されている。カットテープにより連結部材を切断し、連結部材と共に２つの箱部材を分割すると、バーコードが壊されて読み取り不能となるものである。
【０００７】
【発明が解決しようとする課題】
段ボール箱、個装箱等の包装体は、例えば精密な電子機器の包装用にも利用されている。このような精密電子機器の包装体は、包装体が故意に開封された場合に、これを容易に判別できるようにすることが望ましい。
【０００８】
これは、包装体の中身である精密電子機器は、その製品出荷時の設定を容易に変更でき、しかも汚れて不良品となり易く壊れ易い製品であることから、一旦開封されて不用意に精密電子機器をいじられると、製品出荷時の一定の基準を満たす品質を保証できなくなるためである。
【０００９】
このため、精密電子機器等を包装した包装体では、その開放部が開放されたことを識別可能とする手段が必要となる。
【００１０】
そこで、前述した従来提案されている、包装材の開放部を封止シールで封止した構造又は連結部材を切断し２つの箱部材を分割する段ボール製包装箱の構造を、精密電子機器等を包装した包装体の開放部が開放されたことを識別可能とする手段として適用することが考えられる。
【００１１】
しかし、前述した従来提案されている包装材の開放部を封止シールで封止した構造は、消費者が包装材を開封する時に、取り扱いやすく、被包装物に変形を生じさせないように、シールラベル自体を容易に切断して包装材を開封することができるようにしたものである。
【００１２】
よって、この前述した従来提案されている包装材の開放部を封止シールで封止した構造では、シールラベルを巧妙に剥がして開封してから再び元通りに戻したり、カッターできれいに切断して開封してから再び元通りに位置合わせして貼り合わせた場合に、包装体の開放部が開放されたことを容易に識別することが困難である。
【００１３】
また、前述した従来提案されている連結部材を切断し２つの箱部材を分割する段ボール製包装箱の構造は、バーコードが印刷されている段ボール製の連結部材の裏面に貼着されたカットテープにより連結部材を切断し連結部材と共に２つの箱部材を分割すると、バーコードが壊されて読み取り不能となるものである。
【００１４】
よって、この前述した従来提案されている連結部材を切断し２つの箱部材を分割する段ボール製包装箱の構造では、大きな段ボール製の連結部材表面に直接バーコードを高精度で印刷する必要があるため、印刷の処理に高度な技術と多大な手間がかかり、包装材が高価になってしまうという問題がある。
【００１５】
これと共に、包装材に連結部材の構造を設け、この連結部材を切断しなければ、包装材の内部に収納したものを取り出せないように包装材である箱構造を構成せねばならないから、包装材である箱構造の構成が複雑になり、包装材である箱構造を作る作業工程が増加し、この包装材である箱の中に品物を入れて包装を済ませる作業に手間がかかり、包装が高価になるという問題がある。
【００１６】
本発明は上記事実に鑑み、包装材の開放部を封止シールで封止するという簡素で廉価な構成で包装体の開放部が開放されたことを容易に識別することが可能にした、包装体の封止シール用の開封識別構造を新たに提供することを目的とする。
【００１７】
【課題を解決するための手段】
本発明に係わる包装体の封止シール用の開封識別構造は、第１に、包装体における開放部の合わせ目を跨ぐように貼着するシール体と、シール体の表面に表記されたバーコードと、シール体に、合わせ目に対応すると共にバーコードを形成した部分を横断するように形成した、切断操作補助のためのミシン目と、を有することを特徴とする。
【００１８】
上述のように構成することにより、包装体開放部の合わせ目を開放しようとすると、シール体がバーコードのバー部分で切断され、シール体における切断した各端辺を元通りに合わせようとしても、この切断辺部分での破損により元通りに合わせられなくなり、又は合わせた切断辺部分にずれを生じ、元通りに合わせることが極めて困難となり、バーコードの読み取り装置によってバーコードを読み取る操作をした場合に、バーコードの読み取り装置が、バーを誤って読み取るようになる。これにより、バーコードの読み取り装置がバーコードを誤読した場合には、包装体が開封された虞があると、このバーコードの読み取り装置によって、容易にかつ確実に判別できる。
【００１９】
本発明に係わる包装体の封止シール用の開封識別構造は、第２に、包装体における開放部の合わせ目に設けた、折曲した合わせ目の部所と、折曲した合わせ目の部所を跨ぐように貼着するシール体と、シール体の表面に、折曲した合わせ目の部所に被さるように設けたバーコードと、を有することを特徴とする。
【００２０】
上述のように構成することにより、包装体開放部の合わせ目を開放しようとすると、シール体がバーコードのバー部分で、折曲した合わせ目の部所に沿って折曲して切断され、シール体における切断した各端辺を元通りに合わせようとしても、この切断辺部分での破損により元通りに合わせられなくなり、又は合わせた切断辺部分にずれを生じ、元通りに合わせることが極めて困難となり、バーコードの読み取り装置によってバーコードを読み取る操作をした場合に、バーコードの読み取り装置が、バーを誤って読み取るようになる。これにより、バーコードの読み取り装置がバーコードを誤読した場合には、包装体が開封された虞があると、このバーコードの読み取り装置によって、容易にかつ確実に判別できる。
【００２１】
本発明に係わる包装体の封止シール用の開封識別構造は、第３に、包装体における開放部の合わせ目を跨ぐように貼着してシールするシール体において、シール体の表面に構成された無線タグの領域が、包装体の開放部の合わせ目を跨ぐように配置されることにより、開放部の合わせ目を開く動作によって、無線タグを構成した領域が分断され、無線タグのデータ通信の機能が失われるように構成したことを特徴とする。
【００２２】
上述のように構成することにより、包装体の開放部の合わせ目を開く動作によって、無線タグを構成した領域が分断され、無線タグのデータ通信の機能が失われる。これによりシール体における切断した各端辺を元通りに合わせようとしても、この無線タグのデータ通信の機能は元通りに回復しない。これにより、無線タグに対するリーダライタによって、シール体上に設けた無線タグのデータが読み取れない場合には、包装体が開封された虞があると、この無線タグのリーダライタによって、容易に判別できる。すなわち、人の目視に頼らず、機械的に包装体が開封された虞の有無を容易に、かつ確実に検出できる。
【００２３】
なお、包装体の封止シール用の開封識別構造は、包装体における開放部の合わせ目を跨ぐように貼着するシール体と、シール体の表面に表記されたバーコードと、シール体に、合わせ目に対応すると共にバーコードの中間部に単数又は複数のバーを間に挟むようにして横断する配置でバーコードを形成した部分を横断するように形成した、切断操作補助のためのミシン目とを設けて構成することもできる。または、２本のミシン目の間部分を剥がし易くするために２本のミシン目の間部分における両端から延出する耳部を設けて構成することもできる。さらに、シール体は、少なくとも２本のミシン目の間部分を包装箱に貼着しないように貼着することによって、このシール体における２本のミシン目の間部分を引き剥がし易くする。また、このようにシール体における２本のミシン目の間部分が包装箱に貼着されない場合には、シール体を包装箱の蓋部分の合わせ目を跨ぐように貼着する作業の際に、いわゆる貼りずれを生じても、２本のミシン目の間部分が貼りずれを吸収する余裕となるので、この貼着作業を容易に実行可能とできる。
【００２４】
このように構成した場合には、包装箱の蓋部分を開放しようとすると、シール体が２本のミシン目の部分で切断し、例えば３個の部分に分かれるので、この３個の部分に分かれたシール体を元通りに合わせようとしても、その一部分が浮き上がったり、垂れ下がったりしてずれを生じ、元通りに合わせることが極めて困難となり、バーコードの読み取り装置が、バーコードを誤って読み取る可能性が極めて高い。そこで、バーコードの読み取り装置が、バーコードにおける２本のミシン目の切断部分である境目に対応する一部のバーを誤読した場合、又は、シール体における２本のミシン目の間部分が欠如した状態となってバーコードを誤読又は読み取り不能となった場合には、包装箱の蓋部分が開封された虞があると、このバーコードの読み取り装置によって、容易に判別できる。
【００２５】
【発明の実施の形態】
以下、本発明に係わる包装体の封止シール用の開封識別構造に関する実施の形態について、図１乃至図９により説明する。
【００２６】
本実施の形態に係わる包装体の封止シール用の開封識別構造は、図１に示すように、包装体としての矩形の箱である包装箱１０における観音開きの蓋部分１２、１４の開放部の合わせ目（開放部の突き合わせ端辺の間）２０を跨ぐように貼着するシール体１６として構成する。
（第１実施例）
図２の第１実施例に示すように、このシール体１６には、開封識別手段の一部として、その表面にバーコード１８を印刷等の手段で設ける。
【００２７】
このシール体１６には、開封識別手段の一部として、その表面上に表示されたバーコード１８の一のバー１８Ａ上に沿って全面を横断するように、切断操作補助のため断続的に微細な切れ目を入れて構成したミシン目２２を設ける。
【００２８】
さらに、シール体１６は、そのミシン目２２（ミシン目２２が形成された一のバー１８Ａに相当）が合わせ目２０に合致する状態で、蓋部分１２、１４の上に貼着する。
【００２９】
このとき、バーコード１８は、太い線（有色）、細い線（有色）、及びこれらの間の線状空白部分（白又は無色の線状部分）で構成されている。
【００３０】
そこで、ミシン目２２を形成する一のバー１８Ａを細い線（有色）とした場合は、このシール体１６を一旦ミシン目２２に沿って切断すると、このシール体１６のミシン目２２部分が乱雑に破損した状態となって、シール体１６における切断した各端辺を元通りに合わせようとしても、一のバー１８Ａである細い線の幅を元通りに合わせることが極めて困難となり、破損の痕跡がより顕著となる。
【００３１】
よって、シール体１６は、そのミシン目２２に沿って一のバー１８Ａである細い線が切断されている状態にある各端辺を元通りに合わせた状態で、図示しないバーコードの読み取り装置によってバーコード１８を読み取る操作をした場合に、バーコードの読み取り装置が、この切断されたために細い線の幅が異なるといったように破損している一のバー１８Ａを誤って読み取る可能性が極めて高い。
【００３２】
そこで、バーコードの読み取り装置がバーコード１８（特にミシン目２２で切断されて破損している一のバー１８Ａ）を誤読した場合には、包装箱１０の蓋部分１２、１４が開封された虞があると、このバーコードの読み取り装置によって、容易に判別できる。すなわち、人の目視に頼らず、機械的に包装箱１０の蓋部分１２、１４が開封された虞の有無を容易に、かつ確実に検出できる。
【００３３】
また、ミシン目２２を形成する一のバー１８Ａを太い線（有色）又は線状空白部分（白又は無色の線状部分）に構成しても同様の効果が期待できる。
【００３４】
さらに、ミシン目２２を形成する一のバー１８Ａを太い線（有色）とした場合は、切断されていない状態のシール体１６をバーコードの読み取り装置で読み取った際、ミシン目２２の存在によって誤読が生じないようにできる。
【００３５】
なお、このように包装箱１０は、その蓋部分１２、１４が開封された虞があることを容易に判別できることとなると、故意に包装箱１０を開封しようとする行為を抑止する効果が期待できる。
【００３６】
また、包装箱１０は、その蓋部分１２、１４が開封され、バーコードの読み取り装置がバーコード１８を誤読したり、読み取れなくなった場合には、ＰＯＳコードが読み取れなくなるので、商店のレジで開封されて品質保証のできなくなった包装箱１０に収めたデジタルカメラといった精密電子機器等の商品を、誤って販売してしまうことを防止できる。
【００３７】
図８に示すように、シール体１６を段ボール製の包装箱１０における蓋部分１２、１４に貼着して用いる場合には、シール体１６の裏面を段ボールの表ライナ２４に貼着する接着剤２６の接着力を、表ライナ２４と中芯２８との間の接着力又は裏ライナ３０と中芯２８との間の接着力よりも強く（例えば接着力が２倍以上）設定する。または、表ライナ２４、中芯２８若しくは裏ライナ３０の強度よりも、接着剤２６の接着力を強く（例えば接着力のほうが紙の強度の２倍以上強い）するよう構成する。なお、このシール体１６を蓋部分１２、１４に貼着する接着剤２６は、シール体１６の裏面全体に渡って平均に設けることが望ましい。
【００３８】
このように構成することにより、段ボール製の包装箱１０に貼着したシール体１６を無理に剥がそうとすると、表ライナ２４、中芯２８又は裏ライナ３０の接着部が剥がれたり、切れたりして巧妙に剥がして元通りに戻すということをできなくする。よって、このように構成した場合には、シール体１６を剥がして包装箱１０の蓋部分１２、１４が開封された虞の有無を容易に、かつ確実に検出できる。
（第２実施例）
次に、シール体１６に設ける開封識別手段の第２実施例を、図３により説明する。この図３に示すものは、シール体１６に、開封識別手段の一部としてのバーコード１８を印刷等の手段で設ける。
【００３９】
さらに、このシール体１６におけるバーコード１８を表示する領域の両端辺部には、バーコード１８の各線分に沿った方向にシール体１６を切断させ易く導くための切り欠き（ノッチ）３２を穿設する。この切り欠き３２は、例えば鋭角三角形の切り欠きとして形成し、各切り欠き３２の先端が、一のバー１８Ａの両端に対応するよう配置する。
【００４０】
これと共に、各切り欠き３２の先端が、それぞれ合わせ目２０に合致する状態で、包装箱１０における蓋部分１２、１４の上に貼着する。
【００４１】
このように構成することにより、包装箱１０の蓋部分１２、１４を開放しようとすると、シール体１６が両切り欠き３２の先端間を繋ぐように切断し、両切り欠き３２の間にあるバーコード１８における一のバー１８Ａの部分がランダムに千切れて、シール体１６における切断した各端辺を元通りに合わせようとしても、一のバー１８Ａ近傍を元通りに合わせることが極めて困難となり、図示しないバーコードの読み取り装置によってバーコード１８を読み取る操作をした場合に、バーコードの読み取り装置が、この千切れて破損した一のバー１８Ａとその近傍のバーを誤って読み取る可能性が極めて高い。
【００４２】
そこで、バーコードの読み取り装置がバーコード１８の千切れて破損した部分を誤読した場合には、包装箱１０の蓋部分１２、１４が開封された虞があると、このバーコードの読み取り装置によって、容易に判別できる。すなわち、人の目視に頼らず、機械的に包装箱１０の蓋部分１２、１４が開封された虞の有無を容易に、かつ確実に検出できる。
（第３実施例）
次に、シール体１６に設ける図４に例示する開封識別手段の第３実施例について説明する。この図４に示すものは、シール体１６に対して、開封識別手段の一部としてのバーコード１８が斜めに配置されるように、印刷等の手段で設ける。
【００４３】
このシール体１６には、開封識別手段の一部として、その表面上に表示されたバーコード１８における複数のバーに渡って斜めに横断するように、切断操作補助のため断続的に微細な切れ目を入れて構成したミシン目２２を設ける。
【００４４】
さらに、シール体１６は、バーコード１８の複数のバーに渡って斜めに横断するミシン目２２が合わせ目２０に合致する状態で、蓋部分１２、１４の上に貼着する。
【００４５】
なお、シール体１６に設けるバーコード１８を、バーコードの読み取り方向の両端側にあるシール体１６の各辺と平行となるように縦に設け、その表面上に表示されたバーコード１８における複数のバーに渡って斜めに横断するように、切断操作補助のため断続的に微細な切れ目を入れて構成したミシン目２２を、シール体１６に対して斜めに設ける。
【００４６】
さらに、シール体１６は、バーコード１８の複数のバーに渡って斜めに横断するミシン目２２が合わせ目２０に合致する状態で、蓋部分１２、１４の上にシール体１６を斜めにした状態に貼着しても良い。
【００４７】
このように構成することにより、包装箱１０の蓋部分１２、１４を開放しようとすると、シール体１６がバーコード１８の複数のバーに渡って斜めに切断し、シール体１６における切断した各端辺を元通りに合わせようとしても、この切断辺に対して平行にずれを生じ、元通りに合わせることが極めて困難となり、図示しないバーコードの読み取り装置によってバーコード１８を読み取る操作をした場合に、バーコードの読み取り装置が、バーコード１８における複数のバーに渡って斜めに切断され、その境目が平行にずれを生じた近傍のバーを誤って読み取る可能性が極めて高い。
【００４８】
そこで、バーコードの読み取り装置がバーコード１８の境目が平行にずれを生じた近傍のバー部分を誤読した場合には、包装箱１０の蓋部分１２、１４が開封された虞があると、このバーコードの読み取り装置によって、容易に判別できる。すなわち、人の目視に頼らず、機械的に包装箱１０の蓋部分１２、１４が開封された虞の有無を容易に、かつ確実に検出できる。
（第４実施例）
次に、シール体１６に設ける図５に例示する開封識別手段の第４実施例について説明する。この図５に示すものは、シール体１６に対して、開封識別手段の一部としてのバーコード１８を、バーコードの読み取り方向の両端側にあるシール体１６の各辺と平行となるように縦に設け、その表面上に表示されたバーコード１８における複数のバーに渡ってジグザグ（単数又は複数の山形と谷形が連なる折れ線状）に横断するように、切断操作補助のため断続的に微細な切れ目を入れて構成したミシン目２２を、シール体１６に設ける。
【００４９】
さらに、シール体１６は、バーコード１８の複数のバーに渡ってジグザグに横断するミシン目２２の両端部が合わせ目２０に合致する状態で、蓋部分１２、１４の上に貼着する。
【００５０】
このように構成することにより、包装箱１０の蓋部分１２、１４を開放しようとすると、シール体１６がバーコード１８の複数のバーに渡ってジグザグに切断し、シール体１６における切断したジグザグの辺部を元通りに合わせようとしても、このジグザグの辺部の舌片状の部分が浮き上がったり、垂れ下がったりしてずれを生じ、元通りに合わせることが極めて困難となり、図示しないバーコードの読み取り装置によってバーコード１８を読み取る操作をした場合に、バーコードの読み取り装置が、バーコード１８における複数のバーに渡ってジグザグに切断され、その境目で舌片状の部分が浮き上がったり、垂れ下がったりしてずれを生じた近傍のバーを誤って読み取る可能性が極めて高い。
【００５１】
そこで、バーコードの読み取り装置がバーコード１８の境目における複数のバーに渡ってジグザグに切断され、その境目で舌片状の部分が浮き上がったり、垂れ下がったりしてずれを生じた近傍のバー部分を誤読した場合には、包装箱１０の蓋部分１２、１４が開封された虞があると、このバーコードの読み取り装置によって、容易に判別できる。すなわち、人の目視に頼らず、機械的に包装箱１０の蓋部分１２、１４が開封された虞の有無を容易に、かつ確実に検出できる。
（第５実施例）
次に、包装箱１０における蓋部分１２、１４の合わせ目２０に設ける図６に例示する開封識別手段の第５実施例について説明する。この図６に示すものは、包装箱１０における蓋部分１２、１４の合わせ目２０のシール体１６を貼着する部所を、くの字状に折曲して形成する。
【００５２】
また、シール体１６は、開封識別手段の一部としてのバーコード１８を、バーコードの読み取り方向の両端側にあるシール体１６の各辺と平行となるように縦に設ける。
【００５３】
そして、シール体１６は、包装箱１０における蓋部分１２、１４のくの字状に折曲した合わせ目２０の部所をバーコード１８における複数のバーが被さる状態で、蓋部分１２、１４の上に跨るように貼着する。
【００５４】
このように構成することにより、包装箱１０の蓋部分１２、１４を開放しようとすると、このシール体１６を蓋部分１２、１４のくの字状に折曲した合わせ目２０に沿って切断しなければならない。
【００５５】
よって、このようにバーコード１８の複数のバーに渡ってくの字状に折曲して切断すると、シール体１６におけるくの字状に折曲した切断辺部が破損することなく綺麗な切れ目となることが困難であるから、このくの字状に折曲した切断辺部に対応するバーコード１８の複数のバー部分の損傷が大きくなり、これを元通りに合わせようとしても、このくの字状に折曲した切断辺部の舌片状の部分が浮き上がったり、垂れ下がったりしてずれを生じ、又は、その切断辺部分の損傷により、元通りに合わせることが極めて困難となり、図示しないバーコードの読み取り装置によってバーコード１８を読み取る操作をした場合に、バーコードの読み取り装置が、バーコード１８における複数のバーに渡ってくの字状に折曲した切断辺部分の近傍のバーを誤って読み取る可能性が極めて高い。
【００５６】
そこで、バーコードの読み取り装置がバーコード１８の複数のバーに渡ってくの字状に折曲した切断辺部分で舌片状の部分が浮き上がったり、垂れ下がったりしてずれを生じた近傍のバー部分を誤読した場合には、包装箱１０の蓋部分１２、１４が開封された虞があると、このバーコードの読み取り装置によって、容易に判別できる。すなわち、人の目視に頼らず、機械的に包装箱１０の蓋部分１２、１４が開封された虞の有無を容易に、かつ確実に検出できる。
（第６実施例）
次に、包装箱１０における蓋部分１２、１４の合わせ目２０に設ける図７に例示する開封識別手段の第７実施例について説明する。この図７に示すものは、包装箱１０における蓋部分１２、１４の合わせ目２０のシール体１６を貼着する部所を、逆コの字状に折曲して形成する。
【００５７】
また、シール体１６は、開封識別手段の一部としてのバーコード１８を、バーコードの読み取り方向の両端側にあるシール体１６の各辺と平行となるように縦に設ける。
【００５８】
そして、シール体１６は、包装箱１０における蓋部分１２、１４の逆コの字状に折曲した合わせ目２０の部所をバーコード１８における複数のバーが被さる状態で、蓋部分１２、１４の上に跨るように貼着する。
【００５９】
このように構成することにより、包装箱１０の蓋部分１２、１４を開放しようとすると、このシール体１６を蓋部分１２、１４の逆コの字状に折曲した合わせ目２０に沿って切断しなければならない。
【００６０】
よって、このようにバーコード１８の複数のバーに渡って逆コの字状に折曲して切断すると、シール体１６における逆コの字状に折曲した切断辺部が破損することなく綺麗な切れ目となることが困難であるから、この逆コの字状に折曲した切断辺部に対応するバーコード１８の複数のバー部分の損傷が大きくなり、これを元通りに合わせようとしても、この逆コの字状に折曲した切断辺部の舌片状の部分が浮き上がったり、垂れ下がったりしてずれを生じ、又は、その切断辺部分の損傷により、元通りに合わせることが極めて困難となり、図示しないバーコードの読み取り装置によってバーコード１８を読み取る操作をした場合に、バーコードの読み取り装置が、バーコード１８における複数のバーに渡って逆コの字状に折曲した切断辺部分の近傍のバーを誤って読み取る可能性が極めて高い。
【００６１】
そこで、バーコードの読み取り装置がバーコード１８の複数のバーに渡って逆コの字状に折曲した切断辺部分で舌片状の部分が浮き上がったり、垂れ下がったりしてずれを生じた近傍のバー部分を誤読した場合には、包装箱１０の蓋部分１２、１４が開封された虞があると、このバーコードの読み取り装置によって、容易に判別できる。すなわち、人の目視に頼らず、機械的に包装箱１０の蓋部分１２、１４が開封された虞の有無を容易に、かつ確実に検出できる。
【００６２】
なお、前述したシール体１６に設けるミシン目２２、又は蓋部分１２、１４の合わせ目２０の形状は、折曲形状、湾曲形状又はこれらを組み合わせた種々の形状とすることができる。
（第７実施例）
次に、シール体１６に設ける図９に例示する開封識別手段の第７実施例について説明する。この図９に示すものは、シール体１６の平面上に、開封識別手段の一部としての、いわゆる無線タグを構成するための、電子回路部３４、電磁コイル３６及び磁性部３８を設ける。
【００６３】
さらに、シール体１６は、その無線タグを構成する電子回路部３４、電磁コイル３６及び磁性部３８を設けた領域の部分が、包装箱１０における蓋部分１２、１４の合わせ目２０を跨るように対応する状態で、蓋部分１２、１４の上に貼着する。
【００６４】
このように構成することにより、包装箱１０の蓋部分１２、１４を開放しようとすると、シール体１６が、無線タグを構成する電子回路部３４、電磁コイル３６及び磁性部３８を設けた領域を分断するように切断される。
【００６５】
これにより、シール体１６上に設けた無線タグが、外部とのデータ通信を制御するための電子回路部３４の機能、若しくは電子回路部３４が動作する上で必要な電力を無線により外部から得る一方で電子回路部３４に予め記録されたデータを無線により外部へ出力するための電磁コイル３６と、その近傍に配置された磁性部３８との機能を失う。
【００６６】
このように、切断されたシール体１６を元通りに合わせようとしても、このシール体１６上に設けた無線タグの機能を回復させることはできない。
【００６７】
そこで、無線タグに対するリーダライタによって、シール体１６上に設けた無線タグのデータが読み取れない場合には、包装箱１０の蓋部分１２、１４が開封された虞があると、この無線タグのリーダライタによって、容易に判別できる。すなわち、人の目視に頼らず、機械的に包装箱１０の蓋部分１２、１４が開封された虞の有無を容易に、かつ確実に検出できる。
（第８実施例）
次に、シール体１６に設ける図１０に例示する開封識別手段の第８実施例について説明する。この図１０に示すものは、シール体１６に対して、開封識別手段の一部としてのバーコード１８を、バーコードの読み取り方向の両端側にあるシール体１６の各辺と平行となるように縦に設け、その表面上に表示されたバーコード１８の一部のバーに対してミシン目２２を構成する各切れ目２２Ａがジグザグ（相隣接する各切れ目２２Ａがハの字状に連なるように配列された状態）に横断するように、切断操作補助のため断続的に微細な切れ目を入れて構成したジグザグミシン目２２を、シール体１６に設ける。
【００６８】
さらに、シール体１６は、バーコード１８の一部のバーに重なるように対応してジグザグに横断するミシン目２２の両端部が合わせ目２０に合致する状態で、蓋部分１２、１４の上に貼着する。
【００６９】
このように構成することにより、包装箱１０の蓋部分１２、１４を開放しようとすると、シール体１６がバーコード１８の一部のバーをジグザグに切断し、シール体１６における切断したジグザグの辺部を元通りに合わせようとしても、このジグザグの辺部の舌片状の部分が浮き上がったり、垂れ下がったりしてずれを生じ、元通りに合わせることが極めて困難となり、図示しないバーコードの読み取り装置によってバーコード１８を読み取る操作をした場合に、バーコードの読み取り装置が、バーコード１８における一部のバーをジグザグに切断し、その境目で舌片状の部分が浮き上がったり、垂れ下がったりしてずれを生じた近傍のバーを誤って読み取る可能性が極めて高い。
【００７０】
そこで、バーコードの読み取り装置がバーコード１８の境目における一部のバーをジグザグに切断され、その境目で舌片状の部分が浮き上がったり、垂れ下がったりしてずれを生じた近傍のバー部分を誤読した場合には、包装箱１０の蓋部分１２、１４が開封された虞があると、このバーコードの読み取り装置によって、容易に判別できる。すなわち、人の目視に頼らず、機械的に包装箱１０の蓋部分１２、１４が開封された虞の有無を容易に、かつ確実に検出できる。
（第９実施例）
次に、包装箱１０における蓋部分１２、１４の合わせ目２０に設ける図１１に例示する開封識別手段の第９実施例について説明する。この図１１に示すものは、シール体１６に対して、開封識別手段の一部としてのバーコード１８を、バーコードの読み取り方向の両端側にあるシール体１６の各辺と平行となるように縦に設ける。さらに、シール体１６には、その表面上に表示されたバーコード１８の中間部に単数又は複数のバーを間に挟むようにして横断する配置で、切断操作補助のための断続的に微細な切れ目として構成した２本のミシン目２２を設ける。
【００７１】
さらに、シール体１６には、２本のミシン目２２の間部分における両端からそれぞれ半円形状に延出する耳部２３を設ける。この耳部２３は、使用者が、耳部２３をつまんで、シール体１６における２本のミシン目２２の間部分を剥がし易くする（耳部２３をつまんで、２本のミシン目２２に沿って、２本のミシン目２２の間部分を切り離すことを容易にする）ために設けるものである。
【００７２】
また、包装箱１０における蓋部分１２、１４の合わせ目２０に、このシール体１６を貼着する場合には、このシール体１６における２本のミシン目２２の間部分が、合わせ目２０に合致する状態で貼着する。これと共に、シール体１６は、少なくとも２本のミシン目２２の間部分にのり（接着剤等）を付けないようにして貼着する。
【００７３】
すなわち、シール体１６は、少なくとも２本のミシン目２２の間部分が包装箱１０に貼着されないようにし、このシール体１６の２本のミシン目２２を引き剥がし易くする。
【００７４】
また、このようにシール体１６における２本のミシン目２２の間部分が包装箱１０に貼着されない場合には、シール体１６を包装箱１０の蓋部分１２、１４の合わせ目２０を跨ぐように貼着する作業の際に、いわゆる貼りずれを生じても、２本のミシン目２２の間部分が貼りずれを吸収する余裕となるので、この貼着作業を容易に実行可能とできる。
【００７５】
このように構成することにより、包装箱１０の蓋部分１２、１４を開放しようとすると、シール体１６が２本のミシン目２２の部分で切断し、例えば３個の部分に分かれるので、この３個の部分に分かれたシール体１６を元通りに合わせようとしても、その一部分が浮き上がったり、垂れ下がったりしてずれを生じ、元通りに合わせることが極めて困難となり、図示しないバーコードの読み取り装置によってバーコード１８を読み取る操作をした場合に、バーコードの読み取り装置が、バーコード１８における一部のバーを誤って読み取る可能性が極めて高い。
【００７６】
そこで、バーコードの読み取り装置が、バーコード１８における２本のミシン目２２の切断部分である境目に対応する一部のバーを誤読した場合、又は、シール体１６における２本のミシン目２２の間部分が欠如した状態となってバーコード１８を誤読又は読み取り不能となった場合には、包装箱１０の蓋部分１２、１４が開封された虞があると、このバーコードの読み取り装置によって、容易に判別できる。すなわち、人の目視に頼らず、機械的に包装箱１０の蓋部分１２、１４が開封された虞の有無を容易に、かつ確実に検出できる。
【００７７】
なお、前述した第１乃至第９実施例の各構成は、それぞれ単独で実施するだけでなく、これらの所要複数の構成を組み合わせて利用すると、より効果的である。例えば、合わせ目２０を折曲した部分に、シール体１６に設けたバーコード１８にジグザグのミシン目２２を入れた部分が対応するよう、シール体１６を貼り付けて構成しても良い。
【００７８】
さらに、シール体１６上に無線タグを構成し、その上にバーコード１８を設けて構成しても良い。また、シール体１６上に構成した無線タグの部分を横切るようにミシン目２２を設けて構成しても良い。
【００７９】
【発明の効果】
本発明に係わる包装体の封止シール用の開封識別構造は、第１に、包装体における開放部の合わせ目を跨ぐように貼着するシール体の表面に、バーコードを設け、この合わせ目に対応すると共に、バーコードを形成した部分を横断するように、切断操作補助のためのミシン目を入れて構成する。
【００８０】
これにより、包装体の開放部の合わせ目を開放しようとすると、シール体がバーコードのバー部分で切断され、シール体における切断した各端辺を元通りに合わせようとしても、この切断辺部分での破損により元通りに合わせられなくなり、又は合わせた切断辺部分にずれを生じ、元通りに合わせることが極めて困難となり、バーコードの読み取り装置によってバーコードを読み取る操作をした場合に、バーコードの読み取り装置が、バーを誤って読み取るようになる。これにより、バーコードの読み取り装置がバーコードを誤読した場合には、包装体が開封された虞があると、このバーコードの読み取り装置によって、容易にかつ確実に判別できるという効果がある。
【００８１】
また、このように包装体は、これが開封された虞があることを容易に判別できることとなると、故意に包装体を開封しようとする行為を抑止する効果が期待できる。さらに、包装体の開放部が開封され、バーコードの読み取り装置がバーコードを誤読したり、又は読み取れなくなった場合には、ＰＯＳコードが読み取れなくなるので、商店のレジで開封されて品質保証のできなくなった包装体に収めたデジタルカメラといった精密電子機器等の商品を、誤って販売してしまうことを防止できるという効果がある。
【００８２】
本発明に係わる包装体の封止シール用の開封識別構造は、第２に、包装体における開放部の合わせ目に、折曲した合わせ目の部所を設け、折曲した合わせ目の部所を跨ぐようにシール体を貼着し、シール体の表面に、折曲した合わせ目の部所に被さるようにバーコードを設けて構成する。
【００８３】
これにより、包装体の開放部の合わせ目を開放しようとすると、シール体がバーコードのバー部分で、折曲した合わせ目の部所に沿って折曲して切断され、シール体における切断した各端辺を元通りに合わせようとしても、この切断辺部分での破損により元通りに合わせられなくなり、又は合わせた切断辺部分にずれを生じ、元通りに合わせることが極めて困難となり、バーコードの読み取り装置によってバーコードを読み取る操作をした場合に、バーコードの読み取り装置が、バーを誤って読み取るようになる。これにより、バーコードの読み取り装置がバーコードを誤読した場合には、包装体が開封された虞があると、このバーコードの読み取り装置によって、容易にかつ確実に判別できるという効果がある。
【００８４】
また、このように包装体は、これが開封された虞があることを容易に判別できることとなると、故意に包装体を開封しようとする行為を抑止する効果が期待できる。さらに、包装体の開放部が開封され、バーコードの読み取り装置がバーコードを誤読したり、又は読み取れなくなった場合には、ＰＯＳコードが読み取れなくなるので、商店のレジで開封されて品質保証のできなくなった包装体に収めたデジタルカメラといった精密電子機器等の商品を、誤って販売してしまうことを防止できるという効果がある。
【００８５】
本発明に係わる包装体の封止シール用の開封識別構造は、第３に、包装体における開放部の合わせ目を跨ぐように貼着してシールするシール体の表面に構成された無線タグの領域が、包装体の開放部の合わせ目を跨ぐように配置されることにより、開放部の合わせ目を開く動作によって、無線タグを構成した領域が分断され、無線タグのデータ通信の機能が失われるように構成する。
【００８６】
これにより、包装体の開放部の合わせ目を開く動作によって、無線タグを構成した領域が分断され、無線タグのデータ通信の機能が失われる。これによりシール体における切断した各端辺を元通りに合わせようとしても、この無線タグのデータ通信の機能は元通りに回復しない。これにより、無線タグに対するリーダライタによって、シール体上に設けた無線タグのデータが読み取れない場合には、包装体が開封された虞があると、この無線タグのリーダライタによって、容易に判別できる。すなわち、人の目視に頼らず、機械的に包装体が開封された虞の有無を容易に、かつ確実に検出できるという効果がある。
【００８７】
また、このように包装体は、これが開封された虞があることを容易に判別できることとなると、故意に包装体を開封しようとする行為を抑止する効果が期待できる。
【図面の簡単な説明】
【図１】本発明に係る包装体の封止シール用の開封識別構造に関する実施の形態における包装箱の開放部の合わせ目にシール体を貼着した状態を示す全体斜視図である。
【図２】本発明に係る包装体の封止シール用の開封識別構造に関する実施の形態における第１実施例のシール体に設けた開封識別手段を構成した部分を取り出して示す要部拡大正面図である。
【図３】本発明に係る包装体の封止シール用の開封識別構造に関する実施の形態における第２実施例のシール体に設けた開封識別手段を構成した部分を取り出して示す要部拡大正面図である。
【図４】本発明に係る包装体の封止シール用の開封識別構造に関する実施の形態における第３実施例のシール体に設けた開封識別手段を構成した部分を取り出して示す要部拡大正面図である。
【図５】本発明に係る包装体の封止シール用の開封識別構造に関する実施の形態における第４実施例のシール体に設けた開封識別手段を構成した部分を取り出して示す要部拡大正面図である。
【図６】本発明に係る包装体の封止シール用の開封識別構造に関する実施の形態における第５実施例のシール体に設けた開封識別手段を構成した部分を取り出して示す要部拡大正面図である。
【図７】本発明に係る包装体の封止シール用の開封識別構造に関する実施の形態における第６実施例のシール体に設けた開封識別手段を構成した部分を取り出して示す要部拡大正面図である。
【図８】本発明に係る包装体の封止シール用の開封識別構造に関する実施の形態における第１実施例のシール体に設けた開封識別手段を構成した部分を取り出して示す要部拡大縦断面図である。
【図９】本発明に係る包装体の封止シール用の開封識別構造に関する実施の形態における第７実施例のシール体に設けた開封識別手段を構成した部分を取り出して示す要部拡大正面図である。
【図１０】本発明に係る包装体の封止シール用の開封識別構造に関する実施の形態における第８実施例のシール体に設けた開封識別手段を構成した部分を取り出して示す要部拡大正面図である。
【図１１】本発明に係る包装体の封止シール用の開封識別構造に関する実施の形態における第９実施例のシール体に設けた開封識別手段を構成した部分を取り出して示す要部拡大正面図である。
【符号の説明】
１０　包装箱
１２、１４　　　　　蓋部分
１６　シール体
１８Ａ　　　　一のバー
１８　バーコード
２０　合わせ目
２２　ミシン目
２４　表ライナ
２６　接着剤
２８　中芯
３０　裏ライナ
３４　電子回路部
３６　電磁コイル
３８　磁性部
【図１】
2004059100.tif 000003
【図２】
2004059100.tif 000004
【図３】
2004059100.tif 000005
【図４】
2004059100.tif 000006
【図５】
2004059100.tif 000007
【図６】
2004059100.tif 000008
【図７】
2004059100.tif 000009
【図８】
2004059100.tif 000010
【図９】
2004059100.tif 000011
【図１０】
2004059100.tif 000012
【図１１】
2004059100.tif 000013